(57)【要約】【課題】前進と後退の両方向移動で効率よくアイロン掛けがおこなえるとともに、後端部の方向へアイロンを後退させるときの使い勝手をよくする。【解決手段】前端部６ａおよび後端部６ｂを尖形に形成した掛け面６を略垂直にしてアイロン本体１を自立状態に支持する支持部を設け、前記支持部は、前記後端部の両側にアイロン本体１から後方へ突出して設けた第１の支持部１４ａおよび第２の支持部１４ｂと、握り部１１の後部に設けた第３の支持部１１ａを有し、前記第１の支持部と第２の支持部間に前記掛け面６の後端部６ｂを視認可能にする空間部１５ａを設けたものである。【選択図】図１
2010220809.tif 000002
【特許請求の範囲】
【請求項１】
ヒータによって加熱されるベースと、前記ベースの下面に設けその前端部および後端部を尖形に形成した掛け面と、前記ベースの上面を覆う断熱板と、前記断熱板の上方に設けるとともに握り部を有する把手体と、前記掛け面を略垂直にしてアイロン本体を自立状態に支持する支持部とを備え、前記支持部は、前記掛け面の後端部の両側に前記アイロン本体から後方へ突出して設けた第１および第２の支持部と、前記握り部の後部に設けた第３の支持部を有し、前記第１および第２の支持部間に前記掛け面の後端部を視認可能にする空間部を設けたアイロン。
【請求項２】
前記掛け面の後端部は、前記支持部によりアイロン本体を自立状態に設置したとき、前記アイロン本体の設置面から所定距離上方に位置するようにした請求項１記載のアイロン。
【請求項３】
前記第１および第２の支持部は、前記掛け面の後端部より後方へ突出するようにした請求項２記載のアイロン。
【請求項４】
前記第１および第２の支持部は、前記掛け面の後端部から側方へ離れる距離を略同等に設定した請求項１〜３のいずれか１項に記載のアイロン。
【請求項５】
前記第１および第２の支持部は、前記断熱板の外周側面に沿って略Ｕ字状に形成した支持部構成体の両端部に設けた請求項１〜４のいずれか１項に記載のアイロン。
【請求項６】
前記ベースに形成されたスチーム発生用の気化室と、前記気化室に供給する水を蓄えるとともに前記断熱板の上方に配設した水タンクを有し、前記水タンクと前記断熱板との隙間を前記支持部構成体で覆うようにした請求項５記載のアイロン。
【請求項７】
前記第１および第２の支持部は、前記掛け面から上方へ所定の高さを有してアイロン本体から後方へ突出させた棒状体で構成し、前記棒状体により前記第１および第２の支持部の間に第１の空間部を形成するとともに、前記第１および第２の支持部と前記握り部の後部に設けた第３の支持部の間に第２の空間部を形成した請求項１〜６のいずれか１項に記載のアイロン。
【請求項８】
前記把手体の後部にターミナル部を内蔵するとともに、前記ターミナル部を覆う把手裏板を有し、前記把手裏板は、その中央部を前方へ窪ませて第３の空間部が形成されるようにした請求項１〜７のいずれか１項に記載のアイロン。
【請求項９】
前記第１および第２の支持部は、前記把手体の後部を後方へ突出させて形成した請求項１〜８のいずれか１項に記載のアイロン。
【請求項１０】
前記第１および第２の支持部は、前記断熱板の後部を後方へ突出させて形成した請求項１〜８のいずれか１項に記載のアイロン。
【発明の詳細な説明】
【技術分野】
【０００１】
本発明は、衣類等のしわ伸ばしに用いられるアイロンに関するものである。
【背景技術】
【０００２】
従来、この種のアイロンは、掛け面の先端部分を尖った形状にしてあり、衣類の上を滑らせることで、アイロンの進行方向へ衣類を押し広げながらアイロン掛けを行い、衣類のしわを伸ばすとともに、衣類のボタン回りの細かい作業が容易におこなえるようになっている。アイロン掛け作業は、アイロン台上の限られた広さの中でおこなわれるので、衣類の形を整えながら衣類の上でアイロンを往復させ、前進と後退の動作が繰り返される。アイロンの掛け面は、一般的に後部が尖っていないため、後退時は、アイロンに押圧力をかけず、衣類上で掛け面の後部を浮かせ気味に移動させることで、アイロンでしわを付けてしまう誤操作を防止することができる。
【０００３】
しかしながら、アイロン掛けはアイロンの往復動作で効率よく衣類のしわを伸ばすことができるので、この種の失敗は多く、アイロンで付けたしわはとり難いものである。そこで、図１０に示すように、掛け面１０１の後端部１０２を先端部１０３と同様に尖った形状にすることが考えられている（例えば、特許文献１参照）。
【特許文献１】特開２００９−２８３８５号公報
【発明の開示】
【発明が解決しようとする課題】
【０００４】
しかしながら、上記特許文献１に記載されたアイロンは、掛け面１０１の後端部１０２を尖った形状にして、アイロンを後退させた時の戻りジワを防止するようにしたものであるが、尖った後端部１０２の上方は把手体１０４で覆われており、衣類上でアイロンを後退させるときに、尖った後端部１０２の近傍の衣類が見えないという問題があった。
【０００５】
一般に、アイロン掛け作業は、衣類上でアイロンを移動させるしわ伸ばし動作と、衣類の形を整える動作があり、このしわ伸ばし動作と衣類の形を整える動作を繰り返しながらアイロン掛けがおこなわれる。特許文献１に記載されたコードレスアイロンの場合は、衣類の形を整える小休止時に、アイロンは載置台に置かれる。
【０００６】
載置台に置かれたときにアイロンのヒータに通電され、かけ面１０１の後端部１０２の近傍上方に給電用の接続端子１０５が設けられる。したがって、かけ面１０１の後端部１０２は、先端部１０３のような視認性を実現することが難しく、アイロンを後退させるときに尖った後端部１０２の近傍を見る視線が把手体１０４によって遮られ、アイロンの後退時に尖った後端部１０２の前方近傍を視認することができず、かけ面１０１の後端部１０２を尖った形状にしただけでは、アイロンを後退させたときの誤操作でアイロンでしわをつけてしまうという問題は解決されない。
【０００７】
本発明は、前記従来の課題を解決するもので、アイロン掛け時における掛け面の後端部の視認性を確保し、前進と後退の両方向移動で効率よくアイロン掛けがおこなえるようにするとともに、尖った形状にした後端部の方向へアイロンを後退させるときの使い勝手をよくすることを目的としている。
【課題を解決するための手段】
【０００８】
前記従来の課題を解決するために、本発明のアイロンは、ヒータによって加熱されるベースと、前記ベースの下面に設けその前端部および後端部を尖形に形成した掛け面と、前
記ベースの上面を覆う断熱板と、前記断熱板の上方に設けるとともに握り部を有する把手体と、前記掛け面を略垂直にしてアイロン本体を自立状態に支持する支持部とを備え、前記支持部は、前記後端部の両側に前記アイロン本体から後方へ突出して設けた第１および第２の支持部と、前記握り部の後部に設けた第３の支持部を有し、前記第１および第２の支持部間に前記掛け面の後端部を視認可能にする空間部を設けたものである。
【０００９】
これによって、アイロン掛け時における掛け面の後端部の視認性を確保し、前進と後退の両方向移動で効率よくアイロン掛けがおこなえるとともに、後端部の方向へアイロンを後退させるときの使い勝手をよくすることができる。
【発明の効果】
【００１０】
本発明のアイロンは、前進と後退の両方向移動で効率よくアイロン掛けがおこなえるとともに、後端部の方向へアイロンを後退させるときの使い勝手をよくすることができる。
【発明を実施するための最良の形態】
【００１１】
第１の発明は、ヒータによって加熱されるベースと、前記ベースの下面に設けその前端部および後端部を尖形に形成した掛け面と、前記ベースの上面を覆う断熱板と、前記断熱板の上方に設けるとともに握り部を有する把手体と、前記掛け面を略垂直にしてアイロン本体を自立状態に支持する支持部とを備え、前記支持部は、前記後端部の両側に前記アイロン本体から後方へ突出して設けた第１および第２の支持部と、前記握り部の後部に設けた第３の支持部を有し、前記第１および第２の支持部間に前記掛け面の後端部を視認可能にする空間部を設けたことにより、アイロン掛け時における後退時に掛け面の後端部の視認性を確保することができ、前端部の方向へ移動させる前進動作と、後端部の方向へ移動させる後退動作の両方向移動で、効率よくアイロン掛けがおこなえるとともに、後端部の方向へアイロンを後退させるときの使い勝手をよくすることができる。
【００１２】
第２の発明は、特に、第１の発明の掛け面の後端部は、支持部によりアイロン本体を自立状態に設置したとき、前記アイロン本体の設置面から所定距離上方に位置するようにしたことにより、アイロンの設置時に高温に加熱されている掛け面の熱によって、設置面が過熱されることがなく、安全に設置することができる。
【００１３】
第３の発明は、特に、第２の発明の第１および第２の支持部は、掛け面の後端部より後方へ突出するようにしたことにより、アイロンの設置時に設置面が過熱されるのを防止することができる。
【００１４】
第４の発明は、特に、第１〜第３のいずれか１つの発明の第１および第２の支持部は、掛け面の後端部から側方へ離れる距離を略同等に設定したことにより、後退時における後端部の前方近傍の視認性をよくすることができ、左右のいずれの手で使用している場合でも、視認可能な範囲が偏るのを防止してバランスよく確保することができる。
【００１５】
第５の発明は、特に、第１〜第４のいずれか１つの発明の第１および第２の支持部は、断熱板の外周側面に沿って略Ｕ字状に形成した支持部構成体の両端部に設けたことにより、掛け面の後端部の尖った部分の視認性をよくすることに加えて、掛け面の外周部や、先端部の尖部の視認性をも向上することができる。また、アイロン本体に支持部構成体を装着することによって、アイロン本体を自立状態に支持する支持部を容易に構成することができる。
【００１６】
第６の発明は、特に、第５の発明のベースに形成されたスチーム発生用の気化室と、前記気化室に供給する水を蓄えるとともに断熱板の上方に配設した水タンクを有し、前記水タンクと前記断熱板との隙間を前記支持部構成体で覆うようにしたことにより、断熱板の
外壁を伝わって上昇する掛け面の熱が、断熱板と水タンクの間から侵入するのを防ぐことができ、水タンクの熱的劣化を防止することができる。
【００１７】
第７の発明は、特に、第１〜第６のいずれか１つの発明の第１および第２の支持部は、掛け面から上方へ所定の高さを有してアイロン本体から後方へ突出させた棒状体で構成し、前記棒状体により前記第１および第２の支持部の間に第１の空間部を形成するとともに、前記第１および第２の支持部と握り部の後部に設けた第３の支持部の間に第２の空間部を形成したことにより、アイロン本体を自立状態に支持する支持部で空間部の形成が容易であり、棒状体の水平方向の間隔を任意に設定することで、自立状態に設置するアイロン本体を安定して支持することができるとともに、視認可能な目線の角度を広範囲にして、アイロンの移動に応じた視認性を確保することができる。
【００１８】
第８の発明は、特に、第１〜第７のいずれか１つの発明の把手体の後部にターミナル部を内蔵するとともに、前記ターミナル部を覆う把手裏板を有し、前記把手裏板は、その中央部を前方へ窪ませて第３の空間部が形成されるようにしたことにより、後退時における後端部の前方近傍の視認可能な範囲を拡大して、アイロンの移動に応じた視認性を確保することができる。
【００１９】
第９の発明は、特に、第１〜第８のいずれか１つの発明の第１および第２の支持部は、前記把手体の後部を後方へ突出させて形成したことにより、アイロン掛け時における後退時に、掛け面の後端部の視認性を確保することができるとともに、簡単かつ堅牢な構成でアイロン本体を自立状態に安定支持することができる。
【００２０】
第１０の発明は、特に、第１〜第８のいずれか１つの発明の第１および第２の支持部は、前記断熱板の後部を後方へ突出させて形成したことにより、アイロン掛け時における後退時に、掛け面の後端部の視認性を確保することができるとともに、簡単かつ堅牢な構成でアイロン本体を自立状態に安定支持することができる。
【００２１】
以下、本発明の実施の形態について、図面を参照しながら説明する。なお、本実施の形態によって本発明が限定されるものではない。
【００２２】
（実施の形態１）
図１は、本発明の第１の実施の形態におけるアイロンの上面図、図２は、同アイロンの設置時の側面図、図３は、同アイロンの支持部構成体の斜視図、図４は、同アイロンの斜視図、図５は、同アイロンの要部断面図、図６は、同アイロンの斜視図である。
【００２３】
図１〜図６において、アイロン本体１は、埋設したヒータ２によって加熱されるベース３と、このベース３の上面に凹状に形成したスチームを発生させる気化室４と、ベース３の下面に気化室４で発生したスチームを噴出させるスチーム穴５を有し、ベース３の前端部６ａと後端部６ｂを尖形に形成した掛け面６を備えている。
【００２４】
樹脂性の水タンク７には気化室４に供給する水が貯えられ、スチームダイヤル８を使用者が外部操作することにより、水タンク７の水が気化室４に供給、停止される。断熱板９はベース３の上面を覆うように設けられ、樹脂性の把手体１０は断熱板９の上方に配設され、握り部１１を形成している。
【００２５】
把手裏板１２は断熱板９と把手体１０の間に設けられ、把手体１０の後部内に形成したターミナル部（図示せず）を後方から覆うように構成している。ターミナル部は、握り部１１の後部から引き出される電源コード１６とヒータ２回路が接続されている。
【００２６】
支持部構成体１３は水タンク７と断熱板９の外周側面に沿って略Ｕ字状に形成され、その両端部には、掛け面６を略垂直にしてアイロン本体１を自立状態に支持するときの設置面イと当接する第１の支持部１４ａと第２の支持部１４ｂを設けている。この第１の支持部１４ａと第２の支持部１４ｂは、後端部６ｂの両側で、掛け面６から上方へ所定の高さロを有して、アイロン本体１から後方へ棒状体で突出させている。
【００２７】
握り部１１の後部に第３の支持部１１ａを設け、第１の支持部１４ａと第２の支持部１４ｂと第３の支持部１１ａの３点でアイロン本体１を自立状態に支持する。アイロン本体１を自立状態に支持したとき、アルミ合金で鋳造したベース２の掛け面６は、前端部６ａを把手体１０側へ傾斜するようにしてあり、重心のバランスをとって設置時の安定性をよくしている。
【００２８】
第１の支持部１４ａと第２の支持部１４ｂの間に、握り部１１を把持してアイロン本体１を後退させるときに、掛け面６の後端部６ｂの前方近傍を視認するための開放された第１の空間部１５ａを構成している。
【００２９】
また、第１の支持部１４ａおよび第２の支持部１４ｂと、第３の支持部１１ａとの間に、各々開放された第２の空間部１５ｂを構成し、さらに、把手裏板１２の中央部を前方へ窪ませて第３の空間部１５ｃが形成されるように構成してあり、アイロン本体１の後退時に、掛け面６の後端部６ｂの前方近傍の視認可能な目線の角度が広い範囲になり、アイロンの移動に応じた視認性が確保されるようにしている。
【００３０】
第１の支持部１４ａと第２の支持部１４ｂおよび第３の支持部１１ａで、アイロン本体１を自立状態に支持する支持部を構成し、この支持部によりアイロン本体１を自立状態に設置したとき、掛け面６の後端部６ｂは、アイロン本体１の設置面イから所定距離ロ上方に位置するようにしている。
【００３１】
また、アイロン本体１から後方へ棒状体で突出させた第１の支持部１４ａおよび第２の支持部１４ｂは、後端部６ｂより後方へ突出させるとともに、後端部６ｂから側方へ両側に離れる距離ハを略同等に設定している。
【００３２】
支持部構成体１３は、水タンク７と断熱板９の外周側面に沿って略Ｕ字状に形成し、断熱板９の上部と水タンク７の下部との間に形成される隙間ニを外側から覆って遮蔽するように構成している。
【００３３】
以上のように構成しアイロンの動作、作用について説明する。まず、スチームダイヤル８を操作して水タンク７内の水を気化室４に供給すると、ヒータ２で加熱された気化室４でスチームが発生し、スチーム穴５から外部に噴出され、衣類等にスチームを供給しながらアイロン掛けをおこなうことができる。
【００３４】
このとき、掛け面６の前端部６ａの前方近傍を見ながら前端部６ａで衣類を押し広げるように前進させた後、往復運動で後端部６ｂ側へ後退させるときは、第１の空間部１５ａおよび第２の空間部１５ｂによって、後端部６ｂ前方近傍の衣類の状態は、握り部１１を把持した状態で視認することができるので、後端部６ｂを前進させる方向へ握り部１１を把持する方向を変換することなく、また、握り部１１を他方の手に持ちかえることなく後退させることができ、アイロンでしわをつけてしまう失敗をなくすことができる。
【００３５】
したがって、握り部１１を持ちかえてアイロンを移動させるときの方向をかえることなく、前端部６ａの方向へ移動させる前進動作と、後端部６ｂの方向へ移動させる後退動作の往復動作で、効率よくアイロン掛けがおこなえるとともに、後端部６ｂの方向へアイロ
ンを後退させるときに良好な視認性を確保して、使い勝手をよくすることができる。
【００３６】
また、掛け面６の後端部６ｂは、支持部によりアイロン本体１を自立状態に設置したとき、アイロン本体１の設置面イから所定距離ロ上方に位置するようにしているので、アイロンの設置時に高温に加熱されている掛け面６の熱によって、設置面イが過熱されることがなく、安全に設置することができる。
【００３７】
また、第１の支持部１４ａおよび第２の支持部１４ｂは、掛け面６の後端部６ｂより後方へ突出するようにしているので、アイロンの設置時に掛け面６の後端部６ｂが設置面イから上方への距離を確保することができ、設置面イが過熱されるのを防止することができる。
【００３８】
また、第１の支持部１４ａおよび第２の支持部１４ｂは、掛け面６の後端部６ｂから側方へ離れる距離ハを略同等に設定しているので、後退時における後端部６ｂの前方近傍の視認性をよくすることができ、左右のいずれの手で使用している場合でも、視認可能な範囲が偏るのを防止してバランスよく確保することができる。
【００３９】
また、第１の支持部１４ａおよび第２の支持部１４ｂは、断熱板９の外周側面に沿って略Ｕ字状に形成した支持部構成体１３の両端部に設けているので、掛け面６の後端部６ｂの尖った部分の視認性をよくすることに加えて、掛け面６の外周部や、先端部６ａの尖部の視認性をも向上することができる。また、アイロン本体１に支持部構成体１３を装着することによって、アイロン本体１を自立状態に支持する支持部を容易に構成することができる。
【００４０】
また、ベース３に形成されたスチーム発生用の気化室４と、気化室４に供給する水を蓄えるとともに断熱板９の上方に配設した水タンク７を有し、水タンク７と断熱板９との隙間ニを支持部構成体１３で覆うようにしているので、断熱板９の外壁を伝わって上昇する掛け面６の熱が、断熱板９と水タンク７の間から侵入するのを防ぐことができ、水タンク７の熱的劣化を防止することができる。
【００４１】
また、第１の支持部１４ａおよび第２の支持部１４ｂは、掛け面６から上方へ所定の高さロを有してアイロン本体１から後方へ突出させた棒状体で構成し、この棒状体により第１の支持部１４ａおよび第２の支持部１４ｂの間に第１の空間部１５ａを形成するとともに、第１の支持部１４ａおよび第２の支持部１４ｂと、握り部１１の後部に設けた第３の支持部１１ａの間に第２の空間部１５ｂを形成しているので、アイロン本体１を自立状態に支持する支持部で空間部の形成が容易であり、棒状体の水平方向の間隔を任意に設定することで、自立状態に設置するアイロン本体１を安定して支持することができるとともに、視認可能な目線の角度を広範囲にして、アイロンの移動に応じた視認性を確保することができる。
【００４２】
また、把手体１０の後部にターミナル部を内蔵するとともに、このターミナル部を覆う把手裏板１２を有し、把手裏板１２は、その上下左右方向の中央部を前方へ窪ませて第３の空間部１５ｃが形成されるようにしているので、後退時における後端部６ｂの前方近傍の視認可能な範囲を拡大して、アイロンの移動に応じた視認性を確保することができる。
【００４３】
また、第１の支持部１４ａおよび第２の支持部１４ｂは、把手体１０の後部を後方へ突出させて形成することにより、アイロン掛け時における後退時に、掛け面６の後端部６ｂの視認性を確保することができるとともに、簡単かつ堅牢な構成でアイロン本体１を自立状態に安定支持することができる。
【００４４】
上記のように、第１の支持部１４ａおよび第２の支持部１４ｂの間に第１の空間部１５ａを形成することにより、後端部６ｂの方向へアイロンを後退させるときに後端部６ｂ近傍の良好な視認性を確保することができる。すなわち、掛け面６の前端部６ａで衣類を押し広げるように前端部６ａの方向、例えば、作業者の左側へ前進させたとき、第１の空間部１５ａによって後端部６ｂの近傍が視認でき、衣類の状態を見ながら後端部６ｂの方向、すなわち、作業者の右側へ後退させることができる。
【００４５】
やがて、作業者の前に近づくと後端部６ｂの近傍が視認し難くなり、アイロンの位置によって視認性は変化する。したがって、第１の空間部１５ａを形成することにより、後端部６ｂ近傍の視認性が確保される範囲でアイロンを前進後退移動させて、アイロン掛けすることで、アイロンの方向を変えることなく、また、握り部１１を持ち替える手間をなくして、使い勝手をよくすることができる。
【００４６】
そして、第１の支持部１４ａおよび第２の支持部１４ｂと、握り部１１の後部に設けた第３の支持部１１ａの間に第２の空間部１５ｂを併せて形成することにより、アイロンを後端部６ｂの方向、すなわち、作業者の右側へ後退させるときの後端部６ｂ近傍の視認可能な範囲を拡大することができ、アイロンが作業者の前を通り過ぎても、第２の空間部１５ｂを通して後端部６ｂの近傍を視認可能にすることができるので、アイロンの前進後退の移動距離を長くして使い勝手を一層よくすることができる。
【００４７】
また、第３の空間部１５ｃは、後退時における後端部６ｂの前方近傍の視認可能な範囲を拡大する上で有用であるが、把手体１０の形状によってはなくてもよい。
【００４８】
（実施の形態２）
図７は、本発明の第２の実施の形態におけるアイロンの設置時の側面図である。本実施の形態は、把手体１０の後部が握り部１１の後部と連結されていない、所謂オープンハンドルと呼ばれている形態としたものである。他の構成は実施の形態１と同様であり、同様の構成は同じ符号を付して、その詳細な説明は実施の形態１のものを援用する。
【００４９】
上記構成によれば、把手体１０の前部に握り部１１の前部を連結し、この連結部１０ａから後方へ延びる握り部１１を連結部１０ａで把手体１０に支持し、握り部１１の後部は、把手体１０と連結されていない構成とすることができるので、第１の支持部１４ａおよび第２の支持部１４ｂと、握り部１１の後部に設けた第３の支持部１１ａの間に形成される第２の空間部１５ｂを大きく開放させることができるようになり、第２の空間部１５ｂを合理的に形成することができる。したがって、後退時における後端部６ｂの前方近傍の視認性を一層良好なものにして、アイロンを後退させるときの使い勝手をよくすることができる。
【００５０】
（実施の形態３）
図８は、本発明の第３の実施の形態におけるアイロンの設置時の側面図、図９は、同アイロンの要部上面図である。本実施の形態は、第１の支持部１４ａおよび第２の支持部１４ｂを、断熱板９の後部を後方へ突出させて形成したものである。他の構成は実施の形態１と同様であり、同様の構成は同じ符号を付して、その詳細な説明は実施の形態１のものを援用する。
【００５１】
上記構成によれば、ベース３の上面を覆ってその上面に把手体１０を支持する断熱板９の後部に、後方へ突出する第１の支持部１４ａおよび第２の支持部１４ｂを形成し、この第１の支持部１４ａと第２の支持部１４ｂとの間に第１の空間部１５ａを形成したものである。
【００５２】
したがって、握り部１１の後部に設けた第３の支持部１１ａとの間に所定の距離を確保することができ、アイロン掛け時における後退時に、掛け面６の後端部６ｂの視認性を確保することができるとともに、簡単かつ堅牢な構成でアイロン本体１を自立状態に安定支持することができる。
【００５３】
なお、第１の支持部１４ａおよび第２の支持部１４ｂをアイロン本体１に形成する形態として、アイロン本体１に支持部構成体１３を装着した構成のほか、把手体１０の後部を後方へ突出させた構成、さらには、断熱板９の後部を後方へ突出させた構成について記載したが、後退時の視認性と小休止時のアイロン本体１の支持が可能であればよい。
【００５４】
また、各実施の形態では、電源コード１６を握り部１１の後部から引き出される構成としたが、把手体１０の後部から引き出すようにしてもよい。
【００５５】
また、各実施の形態では、アイロン本体１から電源コードを導出したコード付アイロンとしたが、小休止時は載置台にアイロン本体を載置して給電し、使用時はアイロン本体を載置台から取り外して使用するコードレスアイロンに実施することができ、同様の効果を得ることができる。
【００５６】
また、各実施の形態では、スチームアイロンについて説明したが、スチーム発生装置のないアイロンについても同様の効果を得ることができる。
【００５７】
なお、本発明は、上記各実施の形態ごとに実施することができるとともに、他の実施の形態の一部の構成を併せて実施することが可能である。
【産業上の利用可能性】
【００５８】
以上のように、本発明にかかるアイロンは、前進と後退の両方向移動で効率よくアイロン掛けがおこなえるとともに、後端部の方向へアイロンを後退させるときの使い勝手をよくすることができるので、家庭用および業務用のアイロンとして有用である。
【図面の簡単な説明】
【００５９】
【図１】本発明の実施の形態１におけるアイロンの上面図
【図２】同アイロンの設置時の側面図
【図３】同アイロンの支持部構成体の斜視図
【図４】同アイロンの斜視図
【図５】同アイロンのＡ−Ａ断面図
【図６】同アイロンの斜視図
【図７】本発明の実施の形態２におけるアイロンの設置時の側面図
【図８】本発明の実施の形態３におけるアイロンの設置時の側面図
【図９】同アイロンの要部上面図
【図１０】従来のアイロンの下面図
【符号の説明】
【００６０】
１  アイロン本体
２  ヒータ
３  ベース
６  掛け面
６ａ  前端部
６ｂ  後端部
７  水タンク
９  断熱板
１０  把手体
１１  握り部
１１ａ  第３の支持部（支持部）
１２  把手裏板
１３  支持部構成体
１４ａ  第１の支持部（支持部）
１４ｂ  第２の支持部（支持部）
１５ａ  第１の空間部（空間部）
１５ｂ  第２の空間部（空間部）
１５ｃ  第３の空間部（空間部）
【図１】
2010220809.tif 000003
【図２】
2010220809.tif 000004
【図３】
2010220809.tif 000005
【図４】
2010220809.tif 000006
【図５】
2010220809.tif 000007
【図６】
2010220809.tif 000008
【図７】
2010220809.tif 000009
【図８】
2010220809.tif 000010
【図９】
2010220809.tif 000011
【図１０】
2010220809.tif 000012